(57)【特許請求の範囲】
【請求項１】
表示部と、
前記表示部に、コンテンツに関するコンテンツ情報をウォール形式で表示する制御部と、を備え、
前記制御部は、
前記コンテンツの再生回数に基づいて、前記コンテンツ情報のサイズを変更し、
前記表示部に、前記コンテンツ情報をマトリクス状に配置し、
前記コンテンツ情報を一行内の残領域に表示できない場合に、次の行に前記コンテンツ情報を表示し、
前記一行内に表示できなかった前記コンテンツ情報の前に表示した前記コンテンツ情報を、前記残領域まで引き延ばすことを特徴とする表示装置。
【請求項２】
前記制御部は、前記残領域に広告を表示することを特徴とする請求項１に記載の表示装置。
【請求項３】
前記コンテンツ情報の最小サイズは、一行内に所定数の前記コンテンツ情報を表示可能なサイズであり、
前記制御部は、前記コンテンツの前記再生回数に基づいて、前記コンテンツ情報の行方向のサイズを、前記最小サイズの前記所定数倍まで変更することを特徴とする請求項１又は２に記載の表示装置。
【請求項４】
表示部と、
制御部と、を備える表示装置の制御プログラムであって、
前記制御部による、前記表示部へのコンテンツに関するコンテンツ情報のウォール形式での表示、
前記コンテンツの再生回数に基づく、前記コンテンツ情報のサイズの変更、
前記表示部への、前記コンテンツ情報のマトリクス状の配置、
前記コンテンツ情報を一行内の残領域に表示できない場合の、次の行への前記コンテンツ情報の表示、
前記一行内に表示できなかった前記コンテンツ情報の前に表示した前記コンテンツ情報の、前記残領域までの引き延ばし
を実行させることを特徴とする表示装置の制御プログラム。
【発明の詳細な説明】
【技術分野】
【０００１】
本発明は、音楽等のコンテンツに関するコンテンツ情報を表示する表示装置、及び、表示装置の制御プログラムに関する。
【背景技術】
【０００２】
音楽等のコンテンツに関するコンテンツ情報を表示する表示装置において、コンテンツ情報は、リスト形式、ウォール形式等で表示される。図１１（ａ）は、リスト形式でコンテンツ情報を表示する表示画面の一例を示す図である。図１１（ａ）に示すように、例えば、アルバム名でソートされている場合、一組のリストにおいて、アルバムジャケットが左側に表示されている。また、アルバムジャケットの右側に、アルバム名とアーティスト名とが二段で表示されている。図１１（ｂ）は、ウォール形式でコンテンツ情報を表示する表示画面の一例を示す図である。図１１（ｂ）に示すように、アルバムジャケット、アルバム名、アーティスト名の順に上から下に配置された一組のウォールが、マトリックス状に配置されている。
【０００３】
図１１に示すように、アルバム情報のリスト、ウォールのサイズは、同じである。このため、ユーザーが再生したいアルバムを選択するのに、視認性がよくない。そこで、特許文献１では、再生回数に応じてリストの大きさを変更し、コンテンツ情報の視認性を高くしている。
【先行技術文献】
【特許文献】
【０００４】
【特許文献１】特開２００９−１４６４８３号公報
【発明の概要】
【発明が解決しようとする課題】
【０００５】
しかしながら、特許文献１においては、リスト形式での表示についての記載はあるが、ウォール形式での表示についての記載はない。
【０００６】
本発明の目的は、ウォール形式でのコンテンツ情報の表示において、コンテンツ情報の視認性を高くすることである。
【課題を解決するための手段】
【０００７】
第１の発明の表示装置は、表示部と、前記表示部に、コンテンツに関するコンテンツ情報をウォール形式で表示する制御部と、を備え、前記制御部は、前記コンテンツの再生回数に基づいて、前記コンテンツ情報のサイズを変更することを特徴とする。
【０００８】
本発明では、制御部は、コンテンツの再生回数に基づいて、コンテンツ情報のサイズを変更する。このため、ウォール形式でのコンテンツ情報の表示において、コンテンツ情報の視認性を高くすることができる。
【０００９】
第２の発明の表示装置は、第１の発明の表示装置において、前記制御部は、前記表示部に、前記コンテンツ情報をマトリクス状に配置し、前記コンテンツ情報を一行内の残領域に表示できない場合に、次の行に前記コンテンツ情報を表示することを特徴とする。
【００１０】
第３の発明の表示装置は、第２の発明の表示装置において、前記制御部は、前記残領域に広告を表示することを特徴とする。
【００１１】
本発明では、制御部は、コンテンツ情報を表示できなかった一行内の残領域に広告を表示する。これにより、ユーザーに効果的に広告を確認させることができる。
【００１２】
第４の発明の表示装置は、第２の発明の表示装置において、前記制御部は、前記一行内に表示できなかった前記コンテンツ情報の前に表示した前記コンテンツ情報を、前記残領域まで引き延ばすことを特徴とする。
【００１３】
第５の発明の表示装置は、第１〜第４のいずれかの発明の表示装置において、前記コンテンツ情報の最小サイズは、一行内に所定数の前記コンテンツ情報を表示可能なサイズであり、前記制御部は、前記コンテンツの前記再生回数に基づいて、前記コンテンツ情報の行方向のサイズを、前記最小サイズの前記所定数倍まで変更することを特徴とする。
【００１４】
第６の発明の表示装置の制御プログラムは、表示部と、制御部と、を備える表示装置の制御プログラムであって、前記制御部による、前記表示部へのコンテンツに関するコンテンツ情報のウォール形式での表示、前記コンテンツの再生回数に基づく、前記コンテンツ情報のサイズの変更、を実行させることを特徴とする。
【発明の効果】
【００１５】
本発明によれば、ウォール形式でのコンテンツ情報の表示において、コンテンツ情報の視認性を高くすることができる。
【図面の簡単な説明】
【００１６】
【図１】本発明の実施形態に係るデジタルオーディオプレーヤーの構成を示すブロック図である。
【図２】データベースに記憶されている情報を更新する場合のデジタルオーディオプレーヤーの処理動作を示すフローチャートである。
【図３】データベースの一例を示す図である。
【図４】再生回数に応じてアルバム情報のサイズを決定する場合のデジタルオーディオプレーヤーの処理動作を示すフローチャートである。
【図５】ウォール形式でアルバム情報を表示する表示画面の一例を示す図である。
【図６】ウォール形式でアルバム情報を表示する表示画面の一例を示す図である。
【図７】ウォール形式でアルバム情報を表示する表示画面の一例を示す図である。
【図８】一行内に配置されるウォールを示す図である。
【図９】ウォール形式でアルバム情報を表示する場合のデジタルオーディオプレーヤーの処理動作を示すフローチャートである。
【図１０】ウォール形式でアルバム情報を表示する場合のデジタルオーディオプレーヤーの処理動作を示すフローチャートである。
【図１１】（ａ）は、リスト形式でコンテンツ情報を表示する表示画面の一例を示す図である。（ｂ）は、ウォール形式でコンテンツ情報を表示する表示画面の一例を示す図である。
【発明を実施するための形態】
【００１７】
以下、本発明の実施形態について説明する。図１は、本発明の実施形態に係るデジタルオーディオプレーヤー（以下、「ＤＡＰ」という。）の構成を示すブロック図である。ＤＡＰ１（表示装置）は、ヘッドホン１０１にアナログオーディオデータ（音声信号）を出力する。ヘッドホン１０１は、アナログオーディオデータに基づいて、音声を外部に出力する。図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅器８、９、無線モジュール１０、ＵＳＢインターフェース（以下、「ＵＳＢ  Ｉ／Ｆ」という。）１１を備える。
【００１８】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００１９】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２０】
ＤＳＰ（Digital Signal Processor）６は、デジタルオーディオデータに、イコライザー処理等の信号処理を行う。ＤＡＣ７は、デジタルオーディオデータをアナログオーディオデータにＤ／Ａ変換する。増幅器８、９は、ＤＡＣ７がＤ／Ａ変換したアナログオーディオデータを増幅し、ヘッドホン１０１に出力する。無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００２１】
ＤＡＰ１は、記憶部３に楽曲（コンテンツ）を管理するためのデータベースを記憶している。データベースには、各楽曲、各アルバム、各アーティストの再生回数が記憶されている。ＣＰＵ２は、ユーザーが操作部５により選択した楽曲を再生する。ＣＰＵ２は、楽曲を最後まで再生したときに、データベースに記憶されている、楽曲、楽曲が含まれているアルバム、楽曲を演奏しているアーティストの再生回数を１増加させる。
【００２２】
図２は、データベースに記憶されている情報を更新する場合のＤＡＰ１の処理動作を示すフローチャートである。図２に示すように、ＣＰＵ２は、楽曲を再生し、楽曲を最後まで再生した場合に（Ｓ１）、データベースに記憶されている該当楽曲の再生回数を１増加させる（Ｓ２）。次に、ＣＰＵ２は、楽曲に対応するアーティスト情報があるか否かを判断する（Ｓ３）。ＣＰＵ２は、楽曲に対応するアーティスト情報があると判断した場合（Ｓ３：Ｙｅｓ）、該当アーティストの再生回数を１増加させる（Ｓ４）。ＣＰＵ２は、楽曲に対応するアーティスト情報がないと判断した場合（Ｓ３：Ｎｏ）、又は、Ｓ４の処理の後、楽曲に対応するアルバム情報があるか否かを判断する（Ｓ５）。ＣＰＵ２は、楽曲に対応するアルバム情報があると判断した場合（Ｓ５：Ｙｅｓ）、該当アルバムの再生回数を１増加させる（Ｓ６）。ＣＰＵ２は、楽曲に対応するアルバム情報がないと判断した場合（Ｓ５：Ｎｏ）、又は、Ｓ６の処理の後、処理を終了する。
【００２３】
図３は、データベースの一例を示す図である。ここでは、アルバムでのソートを基準としている。図３では、ＤＡＰ１の記憶部３に、アルバム名「ＡＡＡ」〜「ＪＪＪ」の１０枚のアルバムが記憶されていることが示されている。アルバム名の列には、アルバム名が記憶されている。再生回数の列には、対応するアルバムの再生回数が記憶されている。サイズの列には、サイズの情報（大、中、小）が記憶されている。例えば、アルバム名「ＡＡＡ」の再生回数は、「３０」回、サイズは、「小」である。本実施形態では、再生回数に応じてアルバム情報のサイズを調整するための閾値を、サイズ閾値とする。サイズ閾値は、変更可能な値であり、ここでは、総再生回数の１０％以上を、サイズ「大」、１０−２０％を、サイズ「中」、それ以下を、サイズ「小」（デフォルト）とする。
【００２４】
図４は、再生回数に応じてアルバム情報のサイズを決定する場合のＤＡＰ１の処理動作を示すフローチャートである。サイズ閾値の決定は、アプリケーションプログラムの起動時に行う等、そのタイミングは、ＵＩ（User Interface）遷移に依存する。図４に示すように、ＣＰＵ２は、データベースより、総アルバムを再生回数の降順で取得する（Ｓ１１）。次に、ＣＰＵ２は、サイズ閾値を取得する（Ｓ１２）。ＣＰＵ２は、データベースにおいて、サイズ閾値（大：１０％）を上回るアルバムのサイズに、サイズ「大」を登録する（Ｓ１３）。ＣＰＵ２は、データベースにおいて、サイズ閾値（中：１０−２０％）に該当するアルバムのサイズに、サイズ「中」を登録する（Ｓ１４）。ＣＰＵ２は、データベースにおいて、その他のアルバムのサイズに、サイズ「小」を登録する（Ｓ１５）。
【００２５】
図５〜図７は、ウォール形式でアルバム情報を表示する表示画面の一例を示す図である。図示するように、ＣＰＵ２は、表示部４に、アルバム（コンテンツ）に関するアルバム情報（コンテンツ情報）をウォール形式で表示する。また、ＣＰＵ２は、表示部４にアルバム情報をマトリクス状に配置する。アルバム情報のサイズは、「大」、「中」、「小」の３段階である。アルバム情報の最小サイズ「小」は、一行内に３個（所定数）のアルバム情報を表示可能なサイズである。サイズ「大」のアルバム情報の行方向のサイズは、サイズ「小」のアルバム情報の行方向のサイズの３倍である。サイズ「中」のアルバム情報の行方向のサイズは、サイズ「小」のアルバム情報の行方向のサイズの２倍である。従って、ＣＰＵ２は、アルバムの再生回数に基づいて、アルバム情報の行方向のサイズを、３倍（所定数倍）まで変更する。
【００２６】
図６において矢印で示すように、ＣＰＵ２は、アルバム名の昇順（Ａ−Ｚ）でアルバムの情報を左上から右上に表示する。次に、ＣＰＵ２は、行を下に移動し、同様に左から右にアルバムの情報を表示する。一行目において、ＣＰＵ２は、「ＡＡＡ」のアルバム情報、「ＢＢＢ」のアルバム情報を表示した後、「ＣＣＣ」のアルバム情報を表示しようとするが、「ＣＣＣ」のアルバム情報のサイズは「大」であり、一行目の残領域は、サイズ「小」相当の領域である。このため、ＣＰＵ２は、一行目の残領域に、「ＣＣＣ」のアルバム情報を表示できない。従って、ＣＰＵ２は、次の行に移動して、二行目に、「ＣＣＣ」のアルバム情報を表示する。
【００２７】
図６に示すように、ＣＰＵ２は、一行目の残領域に、広告を表示する。または、図７に示すように、ＣＰＵ２は、「ＢＢＢ」のアルバム情報を動的にサイズ「小」から「中」のサイズに変更して、表示する。すなわち、ＣＰＵ２は、一行目に表示できなかった「ＣＣＣ」のアルバム情報の前に表示した「ＢＢＢ」のアルバム情報を、残領域まで引き延ばす。
【００２８】
図８は、一行内に配置されるウォールを示す図である。図８に示すように、一行内に、サイズ「小」のアルバム情報を３個格納可能である。すなわち、上述のように、アルバムの最小サイズ「小」は、一行内に３個のアルバム情報を表示可能なサイズである。ウォールの左から、Ｘ１、Ｘ２、Ｘ３とする。
【００２９】
図９、及び、図１０は、ウォール形式でアルバム情報を表示する場合のＤＡＰ１の処理動作を示すフローチャートである。ＣＰＵ２は、Ｘに１を代入する（Ｓ２１）。次に、ＣＰＵ２は、アルバム情報のサイズが「小」であるか否かを判断する（Ｓ２２）。ＣＰＵ２は、アルバム情報のサイズが「小」であると判断した場合（Ｓ２２：Ｙｅｓ）、Ｘは、１、２、３のいずれかであるか否かを判断する（Ｓ２３）。ＣＰＵ２は、Ｘが１、２、３のいずれかであると判断した場合（Ｓ２３：Ｙｅｓ）、その行内にサイズ「小」のアルバム情報を格納可能であるから、Ｘの領域にアルバム情報を格納する（Ｓ２４）。
【００３０】
ＣＰＵ２は、アルバム情報のサイズが「小」でないと判断した場合（Ｓ２２：Ｎｏ）、アルバム情報のサイズが「中」であるか否かを判断する（Ｓ２５）。ＣＰＵ２は、アルバム情報のサイズが「中」であると判断した場合（Ｓ２５：Ｙｅｓ）、Ｘは、１、２のいずれかであるか否かを判断する（Ｓ２６）。ＣＰＵ２は、Ｘが１、２のいずれかであると判断した場合（Ｓ２６：Ｙｅｓ）、その行内にサイズ「中」のアルバム情報を格納可能であるから、Ｘの領域にアルバム情報を格納する（Ｓ２４）。
【００３１】
ＣＰＵ２は、アルバム情報のサイズが「中」でないと判断した場合（Ｓ２５：Ｎｏ）、Ｘは、１であるか否かを判断する。（Ｓ２７）。ＣＰＵ２は、Ｘが１であると判断した場合（Ｓ２７：Ｙｅｓ）、その行内にサイズ「大」のアルバム情報を格納可能であるから、Ｘの領域にアルバム情報を格納する（Ｓ２４）。
【００３２】
Ｓ２４の処理の後、ＣＰＵ２は、Ｘを１増加させる（Ｓ２８）。次に、ＣＰＵ２は、Ｘが３より大きいか否かを判断する（Ｓ２９）。ＣＰＵ２は、Ｘが３より大きくないと判断した場合（Ｓ２９：Ｎｏ）、次のアルバム情報があるか否かを判断する（Ｓ３０）。ＣＰＵ２は、次のアルバム情報があると判断した場合（Ｓ３０：Ｙｅｓ）、次のアルバム情報について処理を行う（Ｓ３１）。次に、ＣＰＵ２は、Ｓ２２の処理を行う。ＣＰＵ２は、次のアルバム情報がないと判断した場合（Ｓ３０：Ｎｏ）、処理を終了する。
【００３３】
ＣＰＵ２は、Ｘが３より大きいと判断した場合（Ｓ２９：Ｙｅｓ）、図１０（ａ）に示す処理を実行する。次に、ＣＰＵ２は、次の行について処理を行う（Ｓ３２）。ＣＰＵ２は、Ｘが１、２、３のいずれでもないと判断した場合（Ｓ２３：Ｎｏ）、Ｘが１、２のいずれでもないと判断した場合（Ｓ２６：Ｎｏ）、Ｘが１でないと判断した場合（Ｓ２７：Ｎｏ）、一行内の残領域に広告を挿入するか否かを判断する（Ｓ３３）。ＣＰＵ２は、広告を挿入すると判断した場合（Ｓ３３：Ｙｅｓ）、（３−Ｘ）に応じて、広告サイズを決定し、挿入する（Ｓ３４）。ＣＰＵ２は、広告を挿入しないと判断した場合（Ｓ３３：Ｎｏ）、（Ｘ−１）に格納されているアルバム情報を「３」までの領域、すなわち、行の右端まで引き延ばす（Ｓ３５）。次に、ＣＰＵ２は、Ｓ３２の処理を行う。
【００３４】
以上説明したように、本実施形態では、ＣＰＵ２は、アルバム（コンテンツ）の再生回数に基づいて、アルバム情報（コンテンツ情報）のサイズを変更する。このため、ウォール形式でのアルバム情報の表示において、アルバム情報の視認性を高くすることができる。
【００３５】
また、本実施形態では、ＣＰＵ２は、アルバム情報を表示できなかった一行内の残領域に広告を表示する。これにより、ユーザーに効果的に広告を確認させることができる。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、ＣＰＵ２は、アルバムの再生回数に応じて、アルバム情報（コンテンツ情報）のサイズを変更し、表示する。これに限らず、楽曲の再生回数に応じて、楽曲情報（コンテンツ情報）のサイズを変更し、表示するようになっていてもよい。
【００３８】
上述の実施形態においては、アルバム情報の最小サイズは、一行内に３個のアルバム情報を表示可能なサイズである。これに限らず、アルバム情報の最小サイズは、一行内に３個未満、４個以上のアルバム情報を表示可能なサイズであってもよい。
【００３９】
上述の実施形態においては、コンテンツ情報を表示する表示装置として、ＤＡＰを例示した。これに限らず、スマートフォン、タブレットＰＣ等であってもよい。
【産業上の利用可能性】
【００４０】
本発明は、音楽等のコンテンツに関するコンテンツ情報を表示する表示装置、及び、表示装置の制御プログラムに好適に採用され得る。
【符号の説明】
【００４１】
１  ＤＡＰ（表示装置）
２  ＣＰＵ（制御部）
３  記憶部
４  表示部
５  操作部
６  ＤＳＰ
７  ＤＡＣ
８  増幅器
９  増幅器
１０１  ヘッドホン
【図１】
0006659958.tif 000002
【図２】
0006659958.tif 000003
【図３】
0006659958.tif 000004
【図４】
0006659958.tif 000005
【図５】
0006659958.tif 000006
【図６】
0006659958.tif 000007
【図７】
0006659958.tif 000008
【図８】
0006659958.tif 000009
【図９】
0006659958.tif 000010
【図１０】
0006659958.tif 000011
【図１１】
0006659958.tif 000012